(57)【要約】      （修正有）【課題】確実に脱落が防止され、且つ長期に渡る使用に耐え得る杖の脱落防止装置を提供する。【解決手段】杖における外管内壁下端に嵌合溝を設け、該嵌合溝と内管に設けた定位ブロック下端の複数のウイングとの相互作用により、杖の長さを調整する際、引っ張りすぎて内管が脱落するのを確実に防止する。外管１１を内管１０に嵌合するとき、内管１０上端の定位ブロック１５も共に外管１１内に押し込まれ、外管１１下端のうち壁には、更にウイング１７を嵌合する嵌合溝１６が設けられる。嵌合溝１６は底部が平面を呈し、且つ上端には傾斜がついており、ウイング１７と該嵌合溝１６とが嵌合される際、ウイング１７の底部が平面であることから、嵌合溝１６の底部の平面個所と密着し、内管１０が下側に引き出せないようになる。しかし嵌合溝１６上端は斜面であることから、内管１０は上方には移動できる。最後に該外管１１と該内管１０の接合一にカバー１８を被覆し、脱落を防止する。【選択図】図２
0003113117.tif 000002
【実用新案登録請求の範囲】
【請求項１】
主に内部が空洞を呈した外管と、該外管内に設置すべく口径が該外管より小さい内管とより構成される杖において、
該内管の上端には該内管の口径と等しい口径の接合ブロックを設け、該接合ブロックの中心には中心軸が穿入される穿孔を設け、該中心軸の先端には該外管の口径に等しい筒状の圧制ブロックを設け、該圧制ブロックが該外管と内管とを初歩的に連結し、該圧制ブロックの下端には中心軸に沿って延伸するばねを設け、該ばねの底部は嵌合ブロックを設け、
該嵌合ブロックは上部が円柱を呈し、下部が円錐状を呈しているものであり、該円錐状の部位には溝が設けけられ、その下部は更に数個のウイングが設けられ、該ウイングの底部の外径が、該内管の外径よりやや大きいが内側に収縮するようになっており、該外管に該内管が挿入されるとき、該内管先端の嵌合ブロックも共に該外管内に入れられ、且つ該外管下端の内壁には該ウイングを嵌合する嵌合溝が設けられていることを特徴とする杖の脱落防止装置。
【請求項２】
底部が平面で上端が内側に傾斜した状態の嵌合溝が、該翼変と嵌合する際、該ウイング底部が平面を呈していることにより、該嵌合溝の底部の平面個所と密着する形となり、該嵌合溝の上端が斜面を呈していることにより該内管は上側には移動できる状態を保ちつつ、該内管を下側に引き出すことができないようになり、最後に該外管と内管の接合一にカバーで被覆することで完成することを特徴とする請求項１記載の杖の脱落防止装置。
【請求項３】
該外管下端の適当な位置には内突起を設け、該内管状端には定位突起を設け、両突起が相互に定位しあうことにより脱落するのを防止することを特徴とする請求項１記載の杖の脱落防止装置。
【請求項４】
該外管の適当な位置には内突起を設け、且つ該圧制ブロック上には突起部を設け、両突起が相互に定位しあうことにより脱落を防止することを特徴とする請求項１記載の杖の脱落防止装置。
【考案の詳細な説明】
【技術分野】
【０００１】
本考案は杖の脱落防止装置に係り、特に内管と外管とより構成され、伸縮機能を具有する杖における内管と外管の脱落防止装置に関わる。
【背景技術】
【０００２】
図１に示すように、公知における杖の脱落防止装置では、主に内側に設けられた管の上端付近部に突起が設けられ、この突起の外径と外側の管の内径部分により定位されるのを利用し、最後に該内側の管と外側の管との接合個所にカバーで被覆することにより完成する。該カバーの上端と該外側の管の緊密さにより、下端は該内側の管と密着し、杖の長さを長くなるよう調節する際に、該突起が該カバー下端にてストッパーとなり、伸ばしすぎて杖の構造が分解してしまうのを防止する。
【考案の開示】
【考案が解決しようとする課題】
【０００３】
しかし上述のような公知における杖の脱落防止装置においては、以下のような欠点がある。
先ず、外側の管と内側の管との隙間がやや大きく、両管間で不必要に動くゆとりのスペースができやすく、こうなると杖を伸縮させにくくなる。また長く使用するにつれ、突起が外管の内径と摩擦で磨耗してしまい、しっかりと定位できなくなること、並びにカバーも外側の管から外れ易くなってしまうことなどである。
そこで上述の欠点に鑑み、確実に脱落が防止され、且つ長期の使用に耐え得る本考案の杖の脱落防止装置を提供する。
【課題を解決するための手段】
【０００４】
定位ブロック、嵌合溝、ウイング、カバー、内管、外管より構成し、該外管内壁下端に設けた嵌合溝と定位ブロック下端の複数のウイングとが相互に定位し合うことにより、杖のの長さを変えるべく引き伸ばした際、引っ張りすぎて内管が外管より脱落するのを防止する。
【考案の効果】
【０００５】
本考案によると、杖における内管と外管の固定が堅牢になり、使用を続けることでも緩み等の生じにくい杖の脱落防止構造を提供することに成功した。
【考案を実施するための最良の形態】
【０００６】
本考案は、図２から図４に示すように、主に中が空洞を呈した外管１１、及び該外管１１の中に設置できるほどの大きさで中が空洞を呈した内管１０により被覆される。該内管１０の上端は、これに等しい口径の接合ブロック１９が接合され該接合ブロック１９の中心には中心軸１４を穿入する穿孔が設けられており、該中心軸１４の先端には該外管１１と内径が等しく筒状を呈した圧制ブロック１２が設けられる。該圧制ブロック１２は該内管１０と該外管１１を初歩的に連結し、また該圧制ブロック１２の下端には中心軸１４に沿って延伸するばね１３が設けられ、該ばね１３の底部には更に定位ブロック１５が設けられる。該定位ブロック１５とは上部が円柱状を呈しており、下部は円錐状を呈する物体が延伸するが、該円錐状の部位には更に数個のウイング１７が設けられる。また該ウイング１７の底部の外径は該内管１０の該径よりやや大きいが、内側に収縮できるようになっている。
該外管１１を該内管１０に嵌合するとき、該内管１０上端の定位ブロック１５も共に該外管１１内に押し込まれ、該外管１１下端のうち壁には、更に該ウイング１７を嵌合する嵌合溝１６が設けられる。該嵌合溝１６は底部が平面を呈し、且つ上端には傾斜がついており、該ウイング１７と該嵌合溝１６とが嵌合される際、該ウイング１７の底部が平面であることから、該嵌合溝１６の底部の平面個所と密着し、該内管１０が下側に引き出せないようになる。しかし該嵌合溝１６上端は斜面であることから、該内管１０は上方には移動できる。最後に該外管１１と該内管１０の接合一にカバー１８を被覆し、脱落防止の効果を提供する。
【０００７】
また図５に示すように、本考案の第二実施例では、該外管１１下端の適当な位置に内突起２０を設け、該内管１０上端には定位突起２１を設ける。該内突起２０と該定位突起２１とが相互に定位しあうことにより、脱落するのを防止する。
更に図６に示すように、本考案の第三実施例では、該外管１１の適当な位置に第二実施例同様にして内突起２２を設け、該圧制ブロック１２上に更に突起部２３を設け、該内突起２２と該突起部２３の両者が相互に定位しあうことにより、脱落を防止するものとする。
【図面の簡単な説明】
【０００８】
【図１】公知の脱落防止装置の組み立て後における断面図である。
【図２】本考案における断面図である。
【図３】本考案の動作中における断面図である。
【図４】本考案における組み立て後の立体図である。
【図５】本考案の第二実施例における組み立て後の断面図である。
【図６】本考案の第三実施例における組み立て後の断面図である。
【符号の説明】
【０００９】
１０  内管
１１  外管
１２  圧制ブロック
１３  ばね
１４  中心軸
１５  定位ブロック
１６  嵌合溝
１７  ウイング
１８  カバー
１９  接合ブロック
２０  内突起
２１  定位突起
２２  内突起
２３  突起部
【図１】
0003113117.tif 000003
【図２】
0003113117.tif 000004
【図３】
0003113117.tif 000005
【図４】
0003113117.tif 000006
【図５】
0003113117.tif 000007
【図６】
0003113117.tif 000008